(57)【特許請求の範囲】
【請求項１】
移動局が下り回線の通信帯域を複数帯域に分割された各帯域の通信路品質を測定し、この測定結果を上り回線により基地局へ送信するようにした通信システムであって、
移動局は、
第一の帯域の通信路品質を第一の符号で表現し、前記第一の帯域の通信路品質を基準として第二の帯域の通信路品質を第二の符号で表現し、前記第二の帯域の通信路品質を基準として第三の帯域の通信路品質を第三の符号で表現する手段と、
前記第一〜第三の帯域の通信路品質が、前記第一〜第三の符号で表現された通信路品質に所定の基準で近くなるような共通のステップ幅を、予め定められている複数のステップ幅から選択する手段と、
この選択したステップ幅の情報と、前記第一、第二及び第三の符号とを前記基地局へ送信する手段とを含むことを特徴とする通信システム。
【請求項２】
移動局が下り回線の通信帯域を複数帯域に分割された各帯域の通信路品質を測定し、この測定結果を上り回線により基地局へ送信するようにした通信システムであって、
移動局において、
第一の帯域の通信路品質を第一の符号で表現し、前記第一の符号で表現された第一の通信路品質を基準とした第二の帯域の通信路品質を第二の符号で表現する手段と、
前記第二の符号で表現された前記第二の帯域の通信路品質を基準とした第三の帯域の通信路品質を第三の符号で表現する手段と、
前記第一〜第三の帯域の通信路品質が、前記第一〜第三の符号で表現された通信路品質に所定の基準で近くなるような共通のステップ幅を、予め定められている複数のステップ幅から選択する手段と、
この選択したステップ幅の情報と、前記第一、第二及び第三の符号とを前記基地局へ送信する手段とを含むことを特徴とする通信システム。
【請求項３】
前記第一から第三の帯域は、時間が異なり古いものから順番であることを特徴とする請求項１または２記載の通信システム。
【請求項４】
前記第一から第三の帯域は、周波数が異なり低いものまたは高いものから順番であることを特徴とする請求項１または２記載の通信システム。
【請求項５】
前記第二の符号と前記第三の符号は、増加または減少を示す符号に対応していることを特徴とする請求項１〜４いずれか記載の通信システム。
【請求項６】
前記帯域の各々の符号の通信路品質を符号表現する前に、所定の条件を満足する通信路品質を所定規則により置き換えることを特徴とする請求項１〜５いずれか記載の通信システム。
【請求項７】
移動局が下り回線の通信帯域を複数帯域に分割された各帯域の通信路品質を測定し、この測定結果を上り回線により基地局へ送信するようにした通信方法であって、
移動局において、
第一の帯域の通信路品質を第一の符号で表現し、前記第一の帯域の通信路品質を基準として第二の帯域の通信路品質を第二の符号で表現し、前記第二の帯域の通信路品質を基準として第三の帯域の通信路品質を第三の符号で表現するステップと、
前記第一〜第三の帯域の通信路品質が、前記第一〜第三の符号で表現された通信路品質に所定の基準で近くなるような共通のステップ幅を、予め定められている複数のステップ幅から選択するステップと、
この選択したステップ幅の情報と、前記第一、第二及び第三の符号とを前記基地局へ送信するステップとを含むことを特徴とする通信方法。
【請求項８】
下り回線の通信帯域を複数帯域に分割された各帯域の通信路品質を測定し、この測定結果を上り回線により基地局へ送信するようにした移動局であって、
第一の帯域の通信路品質を第一の符号で表現し、前記第一の帯域の通信路品質を基準として第二の帯域の通信路品質を第二の符号で表現し、前記第二の帯域の通信路品質を基準として第三の帯域の通信路品質を第三の符号で表現する手段と、
前記第一〜第三の帯域の通信路品質が、前記第一〜第三の符号で表現された通信路品質に所定の基準で近くなるような共通のステップ幅を、予め定められている複数のステップ幅から選択する手段と、
この選択したステップ幅の情報と、前記第一、第二及び第三の符号とを前記基地局へ送信する手段とを含むことを特徴とする移動局。
【請求項９】
請求項８記載の移動局からの前記ステップ幅の情報、前記第一、第二及び第三の符号を受信して、各帯域の通信路品質の再生をなす手段を含むことを特徴とする基地局。
【請求項１０】
移動局が下り回線の通信帯域を複数帯域に分割された各帯域の通信路品質を周期的に測定し、この測定結果を上り回線により基地局へ送信するようにした通信方法であって、
移動局において、
第一の帯域の通信路品質を第一の符号で表現し、前記第一の符号で表現された第一の通信路品質を基準とした第二の帯域の通信路品質を第二の符号で表現するステップと、
前記第二の符号で表現された前記第二の帯域の通信路品質を基準とした第三の帯域の通信路品質を第三の符号で表現するステップと、
前記第一〜第三の帯域の通信路品質が、前記第一〜第三の符号で表現された通信路品質に所定の基準で近くなるような共通のステップ幅を、予め定められている複数のステップ幅から選択するステップと、
この選択したステップ幅の情報と、前記第一、第二及び第三の符号とを前記基地局へ送信するステップとを含むことを特徴とする通信方法。
【請求項１１】
下り回線の通信帯域を複数帯域に分割された各帯域の通信路品質を測定し、この測定結果を上り回線により基地局へ送信するようにした移動局であって、
第一の帯域の通信路品質を第一の符号で表現し、前記第一の符号で表現された第一の通信路品質を基準とした第二の帯域の通信路品質を第二の符号で表現する手段と、
前記第二の符号で表現された前記第二の帯域の通信路品質を基準とした第三の帯域の通信路品質を第三の符号で表現する手段と、
前記第一〜第三の帯域の通信路品質が、前記第一〜第三の符号で表現された通信路品質に所定の基準で近くなるような共通のステップ幅を、予め定められている複数のステップ幅から選択する手段と、
この選択したステップ幅の情報と、前記第一、第二及び第三の符号とを前記基地局へ送信する手段とを含むことを特徴とする移動局。
【請求項１２】
請求項１１記載の移動局から前記ステップ幅の情報、前記第一及び第二の符号を受信して、各帯域の通信路品質の再生をなす手段を含むことを特徴とする基地局。
【請求項１３】
移動局が下り回線の通信帯域を複数帯域に分割された各帯域の通信路品質を測定し、この測定結果を上り回線により基地局へ送信するようにした通信システムであって、
前記移動局において、
前記複数の帯域のうち１つを選択してこの１つの帯域を除く各帯域について、今回の通信路品質と前回の通信路品質との相対値に応じて前回の通信路品質に対してステップ幅を増減して復元値を得、所定ステップ幅を増減させるための情報を時間相対値情報を示すビットマップとして生成する第一の手段と、
少なくとも前記１つの帯域の今回の通信路品質情報と前記ビットマップとを送信する第二の手段とを含むことを特徴とする通信システム。
【請求項１４】
前記第一の手段は、前記復元値が今回測定値により近いステップ幅を選択して、この選択ステップ幅を前記所定ステップ幅とし、前記第二の手段は、前記所定ステップ幅をも送信することを特徴とする請求項１３記載の通信システム。
【請求項１５】
前記基地局において、
前記１つの帯域の今回の通信路品質情報と前記ビットマップとを用いて前記各帯域の通信路品質を再生する手段を含むことを特徴とする請求項１３または１４記載の通信システム。
【請求項１６】
移動局が下り回線の通信帯域を複数帯域に分割された各帯域の通信路品質を測定し、この測定結果を上り回線により基地局へ送信するようにした通信システムであって、
前記移動局において、
前記複数の帯域のうち１つを選択してこの１つの帯域を除く各帯域について、前回復元値に対して所定ステップ幅を増減して２つの仮復元値を得、測定値に近い方の仮復元値を復元値とし、前記所定ステップ幅を増減させるための情報を復元値の相対値を示すビットマップとして生成する第一の手段と、
少なくとも前記１つの帯域の今回の通信路品質情報と前記ビットマップとを送信する第二の手段とを含むことを特徴とする通信システム。
【請求項１７】
移動局が下り回線の通信帯域を複数帯域に分割された各帯域の通信路品質を測定し、この測定結果を上り回線により基地局へ送信するようにした通信システムであって、
前記移動局において、
前記複数の帯域のうち１つを選択してこの１つの帯域を除く各帯域について、前回復元値と今回測定値とを比較して当該測定値の復元値に対する相対値を示すビットマップを生成すると共に、前記相対値に応じて所定ステップ幅を増減して次回復元値を得る第一の手段と、
少なくとも前記１つの帯域の今回の通信路品質情報と前記ビットマップとを送信する第二の手段とを含むことを特徴とする通信システム。
【請求項１８】
前記第一の手段は、前回復元値が今回測定値により近いステップ幅を選択して前記所定ステップ幅とし、前記第二の手段は、前記所定ステップ幅をも送信することを特徴とする請求項１６または１７記載の通信システム。
【請求項１９】
前記第一の手段は、所定値以下の前記測定値を所定値に置き換えることを特徴とする請求項１６〜１８いずれか記載の通信システム。
【請求項２０】
前記基地局において、
前記１つの帯域の今回の通信路品質情報と前記ビットマップとを用いて前記各帯域の通信路品質を再生する手段を含むことを特徴とする請求項１６〜１９いずれか記載の通信システム。
【請求項２１】
移動局が下り回線の通信帯域を複数帯域に分割された各帯域の通信路品質を測定し、この測定結果を上り回線により基地局へ送信するようにした通信システムであって、
前記移動局において、
前記複数の帯域のうち１つを選択してこの１つの帯域を基準にして高低方向にそれぞれ隣接帯域に対する相対値情報を得、この相対値情報をビットマップとして生成する第一の手段と、
少なくとも前記１つの帯域の通信路品質情報と前記ビットマップとを送信する第二の手段とを含むことを特徴とする通信システム。
【請求項２２】
前記第一の手段は、前記相対値情報に応じて所定ステップ幅を増減して各帯域の通信路品質の復元値を得、この復元値が今回測定値により近いステップ幅を選択し、前記第二の手段は、前記所定ステップ幅をも送信することを特徴とする請求項２１記載の通信システム。
【請求項２３】
前記第一の手段は、前記各帯域の通信路品質の平均値を算出し、前記第二の手段は、この平均値をも送信することを特徴とする請求項２１記載の通信システム。
【請求項２４】
前記第一の手段は、所定値以下の前記測定値を所定値に置き換えることを特徴とする請求項２１〜２３いずれか記載の通信システム。
【請求項２５】
前記基地局において、前記１つの帯域の通信路品質情報と、前記ビットマップと、所定ステップ幅とを用いて各帯域の通信路品質の再生をなす第三の手段を含むことを特徴とする請求項２１または２２記載の通信システム。
【請求項２６】
前記基地局において、前記１つの帯域の通信路品質情報と、前記ビットマップと、前記平均値とを用いて各帯域の通信路品質の再生をなす第三の手段を含むことを特徴とする請求項２１または２２記載の通信システム。
【請求項２７】
移動局が下り回線の通信帯域を複数帯域に分割された各帯域の通信路品質を測定し、この測定結果を上り回線により基地局へ送信するようにした通信システムであって、
前記移動局において、
前記複数の帯域のうち１つを選択してこの１つの帯域を基準にして高低方向にそれぞれ隣接帯域について、この隣接帯域に対して所定ステップ幅を増減して２つの復元値候補を得、測定値に近い復元値候補が、前記ステップ幅を増減したどの復元値候補かを示す復元値の相対値情報をビットマップとして生成する第一の手段と、
少なくとも前記１つの帯域の通信路品質情報と前記ビットマップとを送信する第二の手段とを含むことを特徴とする通信システム。
【請求項２８】
移動局が下り回線の通信帯域を複数帯域に分割された各帯域の通信路品質を測定し、この測定結果を上り回線により基地局へ送信するようにした通信システムであって、
前記移動局において、
前記複数の帯域のうち１つを選択してこの１つの帯域の測定値を復元値に設定し、前記復元値と前記１つの帯域の高低方向における両隣接帯域の測定値とをそれぞれ比較して各隣接帯域の相対値情報を得、前記相対値情報に応じて所定ステップ幅を増減して前記各隣接帯域の復元値を得て以降の隣接帯域についても同様な手順を行って、前記相対値情報をビットマップとして生成する第一の手段と、
少なくとも前記１つの帯域の通信路品質情報と前記ビットマップとを送信する第二の手段とを含むことを特徴とする通信システム。
【請求項２９】
前記第一の手段は、複数のステップ幅の各々について前記相対値情報を用いて復元値を求め、この復元値が測定値により近いステップ幅を前記所定ステップ幅とし、前記第二の手段は、前記ステップ幅をも送信することを特徴とする請求項２７記載の通信システム。
【請求項３０】
前記基地局において、前記１つの帯域の通信路品質情報と前記ビットマップとを用いて前記各帯域の通信路品質を再生する第三の手段を含むことを特徴とする請求項２６〜２８いずれか記載の通信システム。
【請求項３１】
前記第二の手段は、前記１つの帯域の通信路品質情報に代えて、前記各帯域の測定値の最大値を送信することを特徴とする請求項２６〜２８いずれか記載の通信システム。
【請求項３２】
前記基地局において、前記測定値の最大値と前記ビットマップとを用いて前記各帯域の通信路品質を再生する第三の手段を含むことを特徴とする請求項３０記載の通信システム。
【請求項３３】
前記第二の手段は、前記１つの帯域の通信路品質情報に代えて、前記復元値の最大値を送信することを特徴とする請求項２６〜２８いずれか記載の通信システム。
【請求項３４】
前記基地局において、前記復元値の最大値と前記ビットマップとを用いて前記各帯域の通信路品質を再生する第三の手段を含むことを特徴とする請求項３０記載の通信システム。
【請求項３５】
前記第一の手段は、所定値以下の前記測定値を所定値に置き換えることを特徴とする請求項２７，２８，３１，３３いずれか記載の通信システム。
【請求項３６】
前記第二の手段は、前記各帯域の測定値の最大値から所定値以下の測定値を、前記最大値から所定値低い値で置き換えることを特徴とする請求項３３記載の通信システム。
【請求項３７】
前記第二の手段は、予め前記基地局より通知された値以下の測定値を当該値に置き換えることを特徴とする請求項３３記載の通信システム。
【請求項３８】
前記第二の手段は、予め前記基地局より通知された値を用いて、最大値から前記値以下の測定値を、前記最大値から前記値低い値に置き換えることを特徴とする請求項３３記載の通信システム。
【請求項３９】
前記第二の手段は、前記一つの帯域を予め前記基地局から通知されたものを用いることを特徴とする請求項請求項３３記載の通信システム。
【発明の詳細な説明】
【技術分野】
【０００１】
本発明は通信システム及びその通信方法並びにそれに用いる移動局及び基地局に関し、特に移動通信システムにおいて共用チャネルを使用する下りパケット通信の際に、複数の異なる帯域の下り回線の通信路品質を報告するための通信路品質報告方式の改良に関するものである。
【背景技術】
【０００２】
無線帯域を複数の移動局で共有して通信を行うパケット通信方式には、３ＧＰＰにて標準化が行われているＨＳＤＰＡ（High Speed Downlink Packet Access ）やＬＴＥ（Long Term Evolution ）といったものがある。このようなパケット通信システムでは、移動局は下り回線で送信されるパイロットチャネルの受信品質を測定し、測定結果を通信路品質（ＣＱＩ：Channel Quality Indicator ）として上り回線で通知する。
【０００３】
受信品質とＣＱＩの対応は予め決められており、例えば、ＨＳＤＰＡでは３０レベル（５ビットの情報）のＣＱＩが定義されている。無線基地局は、移動局から報告されたＣＱＩを送信機会の割り当てを行うパケットスケジューリングや、変調方式と通信路符号化の符号化率を変える適応変調などに利用する。このように通信路品質を使うことで、移動局毎に通信路に応じた通信を提供でき、効率よく無線帯域を利用することができる。
【０００４】
ＬＴＥの下り回線のアクセス方式にはＯＦＤＭが検討されている。システムに割り当てられている無線帯域を複数の小さな無線帯域（ＲＢ：Resource Block）に分割しておき、移動局はＲＢ毎のＣＱＩを報告する。ＲＢ毎に１つの移動局を割り当てるので周波数分割多重を実現している。例えば、システム帯域とＲＢの関係は図５４に示される。ここで、ＫはＲＢの総数を表す。
【０００５】
【非特許文献１】3GPP TSG RAN, TR25.814 ver. 1.2.0, "Physical Layer Aspects for Evolved UTRA", February 2006.
【発明の開示】
【発明が解決しようとする課題】
【０００６】
しかしながら、システムに割り当てられる無線帯域が広くなると、下り回線の伝送速度が高くなる代わりにＲＢの数も増加する。例えば、ＬＴＥでは、ＲＢの帯域は３７５ｋＨｚ程度であり、５ＭＨｚのシステム帯域では１２分割している。ＲＢの帯域はシステム帯域の広さにはあまり依存しないので、システムが広帯域化するほど移動局は報告しなくてはならないＣＱＩの数が増加する。
【０００７】
移動局はＣＱＩを報告するのに上り回線を利用するが、ＬＴＥでは、上り回線も共用チャネルであり、周波数分割多重をしているため、同一タイミングに送信可能な移動局の数は制限がある。特に、基地局と接続する移動局数が多くなると、上り回線での多重数を多くするには周期的な送信方法も利用することになる。
【０００８】
一方で、ＣＱＩは下り回線のスケジューリングや適応変調に利用されるので、適切な周期で通信路品質を報告できないと、移動局の通信路品質に適応したスケジューリングや適応変調を実現できないため、下り回線のスループットの低下を招く。
【０００９】
本発明の目的は、スケジューリングや適応変調に必要なＣＱＩを、１回あたりの送信量を少なくすることで、接続する移動局の数が多くなっても短い周期で送信できる通信品質の報告方法を提供することである。
【課題を解決するための手段】
【００１４】
本発明による通信システムは、移動局が下り回線の通信帯域を複数帯域に分割された各帯域の通信路品質を測定し、この測定結果を上り回線により基地局へ送信するようにした通信システムであって、移動局において、第一の帯域の通信路品質を第一の符号で表現し、前記第一の帯域の通信路品質を基準として第二の帯域の通信路品質を第二の符号で表現し、前記第二の帯域の通信路品質を基準として第三の帯域の通信路品質を第三の符号で表現する手段と、前記第一〜第三の帯域の通信路品質が、前記第一〜第三の符号で表現された通信路品質に所定の基準で近くなるような共通のステップ幅を、予め定められている複数のステップ幅から選択する手段と、この選択したステップ幅の情報と、前記第一、第二及び第三の符号とを前記基地局へ送信する手段とを含むことを特徴とする。
【００１５】
本発明による他の通信システムは、移動局が下り回線の通信帯域を複数帯域に分割された各帯域の通信路品質を測定し、この測定結果を上り回線により基地局へ送信するようにした通信システムであって、移動局において、第一の帯域の通信路品質を第一の符号で表現し、前記第一の符号で表現された第一の通信路品質を基準とした第二の帯域の通信路品質を第二の符号で表現する手段と、前記第二の符号で表現された前記第二の帯域の通信路品質を基準とした第三の帯域の通信路品質を第三の符号で表現する手段と、前記第一〜第三の帯域の通信路品質が、前記第一〜第三の符号で表現された通信路品質に所定の基準で近くなるような共通のステップ幅を、予め定められている複数のステップ幅から選択する手段と、この選択したステップ幅の情報と、前記第一、第二及び第三の符号とを前記基地局へ送信する手段とを含むことを特徴とする。
【００１６】
本発明による通信方法は、移動局が下り回線の通信帯域を複数帯域に分割された各帯域の通信路品質を測定し、この測定結果を上り回線により基地局へ送信するようにした通信方法であって、移動局において、第一の帯域の通信路品質を第一の符号で表現し、前記第一の帯域の通信路品質を基準として第二の帯域の通信路品質を第二の符号で表現し、前記第二の帯域の通信路品質を基準として第三の帯域の通信路品質を第三の符号で表現するステップと、前記第一〜第三の帯域の通信路品質が、前記第一〜第三の符号で表現された通信路品質に所定の基準で近くなるような共通のステップ幅を、予め定められている複数のステップ幅から選択するステップと、この選択したステップ幅の情報と、前記第一、第二及び第三の符号とを前記基地局へ送信するステップとを含むことを特徴とする。
【００１７】
本発明による移動局は、下り回線の通信帯域を複数帯域に分割された各帯域の通信路品質を測定し、この測定結果を上り回線により基地局へ送信するようにした移動局であって、第一の帯域の通信路品質を第一の符号で表現し、前記第一の帯域の通信路品質を基準として第二の帯域の通信路品質を第二の符号で表現し、前記第二の帯域の通信路品質を基準として第三の帯域の通信路品質を第三の符号で表現する手段と、前記第一〜第三の帯域の通信路品質が、前記第一〜第三の符号で表現された通信路品質に所定の基準で近くなるような共通のステップ幅を、予め定められている複数のステップ幅から選択する手段と、この選択したステップ幅の情報と、前記第一、第二及び第三の符号とを前記基地局へ送信する手段とを含むことを特徴とする。そして、本発明による基地局は、前記移動局からの前記ステップ幅の情報、前記第一、第二及び第三の符号を受信して、各帯域の通信路品質の再生をなす手段を含むことを特徴とする。
【００１８】
本発明による他の通信方法は、移動局が下り回線の通信帯域を複数帯域に分割された各帯域の通信路品質を周期的に測定し、この測定結果を上り回線により基地局へ送信するようにした通信方法であって、移動局において、第一の帯域の通信路品質を第一の符号で表現し、前記第一の符号で表現された第一の通信路品質を基準とした第二の帯域の通信路品質を第二の符号で表現するステップと、前記第二の符号で表現された前記第二の帯域の通信路品質を基準とした第三の帯域の通信路品質を第三の符号で表現するステップと、前記第一〜第三の帯域の通信路品質が、前記第一〜第三の符号で表現された通信路品質に所定の基準で近くなるような共通のステップ幅を、予め定められている複数のステップ幅から選択するステップと、この選択したステップ幅の情報と、前記第一、第二及び第三の符号とを前記基地局へ送信するステップとを含むことを特徴とする。
【００１９】
本発明による他の移動局は、下り回線の通信帯域を複数帯域に分割された各帯域の通信路品質を測定し、この測定結果を上り回線により基地局へ送信するようにした移動局であって、第一の帯域の通信路品質を第一の符号で表現し、前記第一の符号で表現された第一の通信路品質を基準とした第二の帯域の通信路品質を第二の符号で表現する手段と、前記第二の符号で表現された前記第二の帯域の通信路品質を基準とした第三の帯域の通信路品質を第三の符号で表現する手段と、前記第一〜第三の帯域の通信路品質が、前記第一〜第三の符号で表現された通信路品質に所定の基準で近くなるような共通のステップ幅を、予め定められている複数のステップ幅から選択する手段と、この選択したステップ幅の情報と、前記第一、第二及び第三の符号とを前記基地局へ送信する手段とを含むことを特徴とする。そして、本発明による他の基地局は、前記移動局から前記ステップ幅の情報、前記第一、第二及び第三の符号を受信して、各帯域の通信路品質の再生をなす手段を含むことを特徴とする。
【００２０】
本発明による他の通信システムは、移動局が下り回線の通信帯域を複数帯域に分割して各帯域の通信路品質を測定し、この測定結果を上り回線により基地局へ送信するようにした通信システムであって、前記移動局において、前記複数の帯域のうち１つを選択してこの１つの帯域を除く各帯域について、今回の通信路品質と前回の通信路品質との相対値に応じて前回の通信路品質に対してステップ幅を増減して復元値を得、所定ステップ幅を増減させるための情報を時間相対値情報を示すビットマップとして生成する第一の手段と、少なくとも前記１つの帯域の今回の通信路品質と前記ビットマップとを送信する第二の手段とを含むことを特徴とする。
【００２１】
本発明による他の通信システムは、移動局が下り回線の通信帯域を複数帯域に分割して各帯域の通信路品質を測定し、この測定結果を上り回線により基地局へ送信するようにした通信システムであって、前記移動局において、前記複数の帯域のうち１つを選択してこの１つの帯域を除く各帯域について、前回復元値に対して所定ステップ幅を増減して２つの仮復元値を得、測定値に近い方の仮復元値を復元値とし、前記所定ステップ幅を増減させるための情報を復元値の相対値を示すビットマップとして生成する第一の手段と、少なくとも前記１つの帯域の今回の通信路品質情報と前記ビットマップとを送信する第二の手段とを含むことを特徴とする。
【００２２】
本発明による他の通信システムは、移動局が下り回線の通信帯域を複数帯域に分割して各帯域の通信路品質を測定し、この測定結果を上り回線により基地局へ送信するようにした通信システムであって、前記移動局において、前記複数の帯域のうち１つを選択してこの１つの帯域を除く各帯域について、前回復元値と今回測定値とを比較して当該測定値の復元値に対する相対値を示すビットマップを生成すると共に、前記相対値に応じて所定ステップ幅を増減して次回復元値を得る第一の手段と、少なくとも前記１つの帯域の今回の通信路品質情報と前記ビットマップとを送信する第二の手段とを含むことを特徴とする。
【００２３】
本発明による他の通信システムは、移動局が下り回線の通信帯域を複数帯域に分割して各帯域の通信路品質を測定し、この測定結果を上り回線により基地局へ送信するようにした通信システムであって、前記移動局において、前記複数の帯域のうち１つを選択してこの１つの帯域を基準にして高低方向にそれぞれ隣接帯域に対する相対値情報を得、この相対値情報をビットマップとして生成する第一の手段と、少なくとも前記１つの帯域の通信路品質情報と前記ビットマップとを送信する第二の手段とを含むことを特徴とする。
【００２４】
本発明による他の通信システムは、移動局が下り回線の通信帯域を複数帯域に分割して各帯域の通信路品質を測定し、この測定結果を上り回線により基地局へ送信するようにした通信システムであって、前記移動局において、前記複数の帯域のうち１つを選択してこの１つの帯域を基準にして高低方向にそれぞれ隣接帯域について、この隣接帯域に対して所定ステップ幅を増減して２つの復元値候補を得、測定値に近い復元値候補が、前記ステップ幅を増減したどの復元値候補かを示す復元値の相対値情報をビットマップとして生成する第一の手段と、少なくとも前記１つの帯域の通信路品質情報と前記ビットマップとを送信する第二の手段とを含むことを特徴とする。
【００２５】
本発明による他の通信システムは、移動局が下り回線の通信帯域を複数帯域に分割して各帯域の通信路品質を測定し、この測定結果を上り回線により基地局へ送信するようにした通信システムであって、前記移動局において、前記複数の帯域のうち１つを選択してこの１つの帯域の測定値を復元値に設定し、前記復元値と前記１つの帯域の高低方向における両隣接帯域の測定値とをそれぞれ比較して各隣接帯域の相対値情報を得、前記相対値情報に応じて所定ステップ幅を増減して前記各隣接帯域の復元値を得て以降の隣接帯域についても同様な手順を行って、前記相対値情報をビットマップとして生成する第一の手段と、少なくとも前記１つの帯域の通信路品質情報と前記ビットマップとを送信する第二の手段とを含むことを特徴とする。
【００２６】
本発明の作用を述べる。本発明による実施例１〜３の発明によれば、移動局が下り回線の通信帯域を複数帯域に分割して各帯域の通信路品質を測定し、この測定結果を上り回線により基地局へ送信する場合に、移動局において、測定した通信路品質から閾値以上の通信路品質を有する帯域を選択して、選択帯域と非選択帯域とを示す情報をビットマップとして生成し、このビットマップと、測定した通信路品質の平均値と、前記選択帯域内における代表値（最小値または最大値）とを基地局に送信するように構成する。
【００２７】
また、本発明による実施例４，７〜１０の発明によれば、移動局が下り回線の通信帯域を複数帯域に分割して各帯域の通信路品質を測定し、この測定結果を上り回線により基地局へ送信する場合に、移動局において、第一の帯域の通信路品質を第一の符号で表現し、この第一の帯域の通信路品質を基準として第二の帯域（第一の帯域とは、時間や周波数が異なり、時間が異なる場合には、時間的に古いものから第一、第二となり、周波数が異なる場合には、低いものから、または高いものから順に第一、第二となる）の通信路品質を第二の符号で表現し、この第二の帯域の通信路品質を基準として第三の帯域（第二の帯域との関係も、上記の第一と第二の関係と同様てある）の通信路品質を第三の符号で表現し、少なくとも第一〜第三の符号を基地局へ送信するように構成する。
【００２８】
更に、本発明による実施例５，６，１１〜２０の発明によれば、移動局が下り回線の通信帯域を複数帯域に分割して各帯域の通信路品質を測定し、この測定結果を上り回線により基地局へ送信する場合に、移動局において、第一の帯域の通信路品質を第一の符号で表現し、前記第一の符号で表現された第一の通信路品質を基準とした第二の帯域（第一の帯域との関係も、上記の第一と第二の関係と同様である）の通信路品質を第二の符号で表現する手段と、少なくとも前記第一及び第二の符号を前記基地局へ送信するように構成する。以上の構成により本願の上記課題が達成される。
【発明の効果】
【００２９】
本発明によれば、報告すべきＣＱＩの数が多くなっても、１回で送信する情報量を少なくなるようにしたので、通信帯域に制限がある場合でもスケジューリングや適応変調に必要なＣＱＩ情報を短い周期で基地局に通知することができ、その結果、正確な通信路状態を基地局に通知できるので、下り回線のスループットの劣化を避けることができるという効果がある。
【発明を実施するための最良の形態】
【００３０】
以下に、図面を参照しつつ本発明の実施の形態を説明する。
＜第１の実施の形態（実施例１）＞
図１と図２はそれぞれ移動局と基地局のＣＱＩを処理する機能に関する構成を表すブロック図である。移動局は、ＣＱＩ測定部１、平均値測定部２、最大値検出部３、ＣＱＩ情報生成部４とから構成される。基地局は、ＣＱＩ受信部１０、ＣＱＩ再生部１１とから構成される。その他の機能については、従来の移動局や基地局と同じであるため省略する。
【００３１】
先ず、移動局の動作から説明する。移動局は、パイロット信号の受信品質をＣＱＩ測定部１にて測定し、ＲＢ毎のＣＱＩ値を得る。ここで、ＣＱＩ測定部１によるＲＢ毎のＣＱＩの値を得る方法を例示すると、以下のような方法をとることが可能である。移動局はパイロット信号の受信電力から通信路品質を推定する。推定した通信路品質において、基地局が仮送信電力で送信した場合に、サブフレームのトランスポートブロックエラー率が所定の値を超えないようなＲＢ毎のＣＱＩ値をＣＱＩ測定部は求める。
そして、仮送信電力は、
・ＲＢに含まれるパイロットの電力と同じとする、
・ＲＢに含まれるパイロットの電力と所定のオフセットとの加算／減算とする、
・ＲＢに含まれるパイロットの電力と所定のオフセットとの加算／減算に、さらに所定の参照調整オフセットとの加算／減算とする、
のようないずれかの、パイロットを基準に調整するような算出方法により算出することができる。また、上記のように加算／減算により算出するのではなく、パイロットの電力に所定の係数を掛けることで仮送信電力を算出方法などもとり得る。
ここで、上記所定のオフセットや上記所定の参照調整オフセットは、外部からネットワーク経由で与えられるか、または移動局内のテーブルを参照するなどで得ることができる。次に、平均値測定部２によりＣＱＩ値の平均値を計算する。
【００３２】
図３を使って最大値検出部３の動作を説明する。最大値から一定の範囲Ｄ（Ｄは０以上の数）以内のＣＱＩ値をもつＲＢを選択する。つまり、（最大値−Ｄ）をしきい値とし、しきい値以上のＣＱＩ値を有するＲＢを選択し（ステップＳ１）、選択されたＲＢのうち最小となるＣＱＩ値（最小値）を検出する。図４は最大値からの範囲Ｄ＝３の場合の移動局の動作の例を示す。しきい値以上のＣＱＩ値をもつＲＢには“１”を、それ以外のＲＢには“０”を割り当てる。
【００３３】
なお、このＲＢへの“１”と“０”の割当てについては、測定した通信路品質であるＣＱＩの値が閾値以上り通信路品質を有する帯域であるＲＢを選択し（選択帯域とし）、それ以外の帯域であるＲＢは選択しない（非選択帯域とする）、とも以下では表現する。選択したＲＢのＣＱＩ値が平均値以下である場合は、平均値よりも大きなＣＱＩ値となるＲＢのみを選択する（ステップＳ２，Ｓ３）。
【００３４】
なお、ステップＳ２，Ｓ３は必須ではないが、ステップＳ２，Ｓ３の処理をなすことにより効果は大きくなり得る。すなわち、選択帯域はＣＱＩ値が良好なＲＢを選択することを目的としているが、しきい値は平均値とは無関係に設定しているので、平均値よりも小さなＣＱＩ値を有する帯域が選択され、目的をなさない場合がある。ステップＳ２，Ｓ３の処理をなすことにより、しきい値の設定が不適切な場合を排除することが可能となる。
【００３５】
図４に従って、移動局の動作を説明する。ＲＢ毎のＣＱＩ測定値のうち最大値は、本例では、２０であり、よってしきい値は、２０−Ｄ＝１７（Ｄは３）となるから、ＣＱＩ情報生成部４は、各ＲＢについて、“１“と“０”とを使って、ＲＢ選択の有無を示すためのＲＢ選択情報（選択グループに属する場合は“１”、非選択グループに属する場合は“０”とした情報）を作成する。すなわち、“１”および“０”をＲＢの番号順に並べたビットマップを作成すればよい。
【００３６】
従って、ＣＱＩ情報生成部４は平均値（非選択グループの代表値）としきい値以上の最小のＣＱＩ値（選択グループの代表値）とＲＢ選択情報であるビットマップとを用いて送信系列を作成し、図５に示す送信フォーマット１で制御信号送信部に送る。図５の送信フォーマットでは、ＣＱＩ値を０から３１までの５ビットで表し、ＲＢ数が１２のときに送信するビット数を併記してある。但し、情報の順序は一例である。
【００３７】
次に、基地局の動作を示す。基地局はＣＱＩ受信部１０にて平均値としきい値以上の最小のＣＱＩ値およびＲＢ選択情報を検出する。ＣＱＩ再生部１１は、ＲＢ選択情報に“１”が割り当てられたＲＢに、送信フォーマット１により与えられた最小値を、“０”が割り当てられたＲＢに、送信フォーマット１より与えられた平均値を、それぞれ設定して全てのＲＢのＣＱＩ値を再生する。上述した基地局の動作の例を図６に示している。最大値からの範囲Ｄの値は、制御パラメータとして基地局から移動局に通知されてもよいし、事前に決められた値を使っても良い。
【００３８】
＜第２の実施の形態（実施例２）＞
第２の実施の形態は第１の実施の形態と同一の構成であるので図は省略する。第１の実施の形態との違いは、移動局の最大値検出部３の動作のみであり、図７を使って説明する。最大値検出部３でＣＱＩ値の良好な順に並べ替えた後（ステップＳ１１）、良好な順にＭ（Ｍは１以上の整数）だけＲＢを選択する（ステップＳ１２）。Ｍ＝３のときの移動局の動作例を図８に示す。図８を参照すると、各ＲＢのＣＱＩ測定値について、上位Ｍ（＝３）までを検出し、上位ＭまでのＲＢに“１を、その他に“０”を設定して、ビットマップを生成する。そして、送信系列を、実施例１と同様に、平均値、最小値及びビットマップにより生成して、フォーマット１を用いて報告する。
【００３９】
また、良好な順にＭだけ選択したＲＢのＣＱＩ値のうち、平均値以下のＣＱＩ値となるＲＢがある場合は、平均値よりも大きなＣＱＩ値であるＲＢだけを選択する（ステップＳ１３，Ｓ１４）。他の動作は同一であるので省略する。良好なＲＢの数Ｍは、制御パラメータとして基地局から移動局に通知されても良いし、事前に決められた値を使っても良い。なお、ステップＳ１３，Ｓ１４は必須ではないが、あればより効果が期待できる。すなわち、第１の実施の形態の場合と同様に、しきい値の設定が不適切な場合を排除可能となる。
【００４０】
＜第３の実施の形態（実施例３）＞
第３の実施の形態は第１の実施の形態と同一の構成なので省略する。第１の実施の形態との違いは、移動局の最大値検出部３の動作であり、図９を使って説明する。最大値検出部でＣＱＩ値の良好な順に並べた後（ステップＳ２１）、最も良好な値に対して最大値からの範囲Ｄ以内のＲＢを検出し、かつ、良好な順にＭだけ選択する（ステップＳ２２）。Ｄ＝３、Ｍ＝３とした場合の移動局の動作例を図１０に示す。図１０において、各ＲＢのＣＱＩ測定値について、しきい値（前記と同様に１７）以上でかつ上位ＭまでのＲＢに“１”を、その他に“０”を設定し、ビットマップを生成する。そして、送信フォーマット１を使って報告する。
【００４１】
第１の実施の形態と同様に、選択したＲＢのＣＱＩ値が平均値以下である場合は、平均値より大きなＲＢのみを選択する（ステップＳ２３，Ｓ２４）。しきい値Ｄおよび良好なＲＢの数Ｍは、制御パラメータとして基地局から移動局に通知されても良いし、事前に決められた値を使ってもよい。なお、ステップＳ２３，Ｓ２４は必須ではないが、あればより効果が大となり得る。この場合も、第１の実施の形態と同様に、しきい値の設定が不適切な場合を排除できることが可能になる。
【００４２】
また、第１〜第３の実施の形態に用いる送信フォーマット１では、平均値と最小値とを送る代りに、一方の絶対値を送って他方は、それに対する相対値を送っても良い。また、送信フォーマット１の平均値は非選択グループの代表値であり、最大値は選択グループの代表値であることから、後者の選択グループの代表値は、グループ内の最大値に限らずグループ内の最小値でもよいものである。
【００４３】
＜第４の実施の形態（実施例４）＞
第４の実施の形態の移動局と基地局の構成を図１１と図１２に示す。移動局は、ＣＱＩ測定部１、ＭＳ−ＣＱＩ値記録部７、基準ＲＢ決定部５、相対値計算部６、ＣＱＩ情報生成部４から構成される。基地局は、ＣＱＩ受信部１０、ＣＱＩ再生部１１、ＢＳ−ＣＱＩ値記録部１２から構成される。
【００４４】
図１３を使って移動局の動作を説明する。移動局は、ＣＱＩ測定部１にてＲＢ毎のＣＱＩ値を生成する。また、ＭＳ−ＣＱＩ値記録部７は通信開始時に所定の値で初期化される。例えば、所定の値はＣＱＩ値の中央の値にする。基準ＲＢ決定部５は所定の規則で基準となるＲＢを決定する（ステップＳ３１）。例えば、フレーム番号を用いて初期値を決め、そのＲＢから全てのＲＢをＲＢの番号順に巡回すればよい。その他の方法としては、事前に通知されたものを用いる、最大値、最小値、中間値のＲＢ番号を用いることができるし、またシステムに応じてＲＢ番号を予め決めておく事もできる。
【００４５】
相対値計算部６では、ＲＢのＣＱＩ値を順番にＭＳ−ＣＱＩ値記録部７に記録されている前回のＣＱＩ値と比較する。図１３のＣＱＩ（ｋ；ｔ）はＲＢ番号ｋの時刻ｔのＣＱＩ値を表す。時間相対値RelativeＣＱＩ（ｋ）（ｋは１〜Ｋを表す整数で、ＫはＲＢの総数）は次式で計算する（ステップＳ３２〜Ｓ３８）。
RelativeＣＱＩ（ｋ）＝１  ……ＣＱＩ（ｋ；ｔ）＞ＣＱＩ（ｋ；ｔ−１）
……（１）
RelativeＣＱＩ（ｋ）＝０  ……ＣＱＩ（ｋ；ｔ）≦ＣＱＩ（ｋ；ｔ−１）
……（２）
但し、基準ＲＢ決定部５で選択されたＲＢ番号ｋ0 については比較をしない。これは、基準ＲＢについては、後述する復元値は現在のＣＱＩ値を使用するので、過去の復元値との関係を使用せずに復元値を得ることができるためである。よってここでは、基準ＲＢとしているが、測定ＣＱＩ値そのものである絶対値を通知するためのＲＢである。
【００４６】
なお、（１），（２）式の不等号に関しては、（１）式で≧とし、（２）式で＜としても良い（以下同じ）。また、本例では、比較結果を大か小の２段階で示して１ビット表記としているが、２ビット表記として、４段階標記としてもよい（以下同じ）。
【００４７】
比較結果とステップ幅Ａを使って復元値ReＣＱＩ（ｋ；ｔ）を次式で計算する（ステップＳ３９）。
ReＣＱＩ（ｋ；ｔ）＝ＣＱＩ０                …ｋ＝ｋ０
ReＣＱＩ（ｋ；ｔ）＝ＣＱＩ（ｋ；ｔ−１）＋Ａ…RelativeＣＱＩ（ｋ）＝１
ReＣＱＩ（ｋ；ｔ）＝ＣＱＩ（ｋ；ｔ−１）−Ａ…RelativeＣＱＩ（ｋ）＝０
【００４８】
予め用意してある複数のステップ幅に対して前記計算により複数の復元値ReＣＱＩ（ｋ；ｔ）を計算する。ステップ毎に得られた復元値と測定したＣＱＩ値との誤差が最も小さいステップ幅を選択する。このステップ幅の選択方法としては、最小２乗法で最適な値を計算してから、その値に近いステップ幅を選ぶような方法もある。誤差の計算方法は、全てのＲＢの誤差の絶対値の和を使えばよい。あるいは、測定したＣＱＩが最大となるＲＢの誤差を使っても良い。さらに、上位Ｍ（Ｍは１以上の整数）となるＲＢの誤差を使っても良い。ＭＳ−ＣＱＩ値記録部７は誤差が最小となるステップ幅で計算した復元値ReＣＱＩ（ｋ；ｔ）をＣＱＩ（ｋ；ｔ−１）として記録する（ステップＳ４０）。
【００４９】
図１４は移動局の計算動作の例を示す。本例では、ステップ幅Ａを２と５の２つが用意されている場合を示している。図１４を参照すると、基準ＲＢ以外の各ＲＢについて、今回のＣＱＩ測定値と前回のＣＱＩ測定値（記録値）とを比較し、今回測定値が前回測定値より大であれば、“１”とし、小であれば“０”として時間相対値情報を示すビットマップを生成する。そして、“１”、“０”に応じて、前回測定値に対してステップ幅Ａを増減し、新たな復元値を得る。この時、この復元値が今回測定値に対して誤差が最も小さいステップ幅を選択して、そのステップ幅により得られた復元値を次回に用いる記録値として記録する。
【００５０】
ＣＱＩ情報生成部４では、基準ＲＢ決定部で決定したＲＢのＣＱＩ値（ＣＱＩ０）と時間相対値RelativeＣＱＩ（ｋ）から生成される時間相対値情報とステップ幅情報を図１５に示すフォーマット２で制御信号送信部に通知する。また、ステップ幅が２つの場合、ステップ幅の情報は１ビットでよい。情報の順序は一例である。
【００５１】
時間相対値情報は時間相対値RelativeＣＱＩ（ｋ）を基準ＲＢの番号ｋ0 以外の（Ｋ−１）個のＲＢ番号の小さい順に並べることで作成できる。また、ステップ幅情報は、予め移動局と基地局で複数のステップ幅と番号の対応表を用意しておき、移動局は選択したステップ幅の番号をステップ幅情報として通知する。
【００５２】
図１６を使って基地局の動作を説明する。基地局は、ＣＱＩ受信部１０にてＣＱＩ値（ＣＱＩ０）と時間相対値情報から得られる時間相対値およびステップ幅Ａを取り出す。また、ＢＳ−ＣＱＩ値記録部１２は通信開始時に所定の値で初期化される。例えば、ＣＱＩ値の中央値にする。ＲＢ毎に新しくＣＱＩ値をＢＳ−ＣＱＩ値記録部１２に記録されているＣＱＩ値と、報告されたステップ幅と、時間相対値とに基づき、前述の移動局と同じ方法で計算する（ステップＳ４１〜Ｓ４９）。
【００５３】
計算して得られたＣＱＩ値はＢＳ−ＣＱＩ値記録部１２に記録される（ステップＳ５０）と共に、スケジューラ／適応変調制御部に出力される。図１７に基地局の動作例を示しており、ステップ幅が２のときの復元の例である。図１７において、フォーマット２による送信系列を受信して、基準ＲＢについては報告されたＣＱＩ値とし、他のＲＢについては、時間相対値情報（ビットマップ）のかく“１”，“０”に従って、前回の記録値に対してステップ幅を増減して復元値を得ることになる。
【００５４】
＜第５の実施の形態（実施例５）＞
第５の実施の形態は第４の実施の形態と構成は同じであるが、移動局の相対値計算部６の動作が異なるので、動作の違いについて説明する。本実施例では、実施例４のように連続する時間で測定したＣＱＩ値の大小関係を表す相対値を通知するのではなく、復元したＣＱＩ値が測定値に近付くようにステップ幅を増減させることを示す値を、復元値の相対値として用いるものである。
【００５５】
相対値計算部６では、ＲＢのＣＱＩ値を順番にＭＳ−ＣＱＩ値記録部７に記録されているＣＱＩ値にステップ幅Ａだけ増加／削減して得られる２つの誤差Ｅｒｒ（“１”），Ｅｒｒ（“０”）を求め、復元値の相対値RelativeＲｅＣＱＩ（ｋ）を求める。
Ｅｒｒ（“１”）＝｜ＣＱＩ（ｋ；ｔ）−ＲｅＣＱＩ（ｋ；ｔ−１）−Ａ｜
Ｅｒｒ（“０”）＝｜ＣＱＩ（ｋ；ｔ）−ＲｅＣＱＩ（ｋ；ｔ−１）＋Ａ｜
RelativeＣＱＩ（ｋ）＝１……Ｅｒｒ（“１”）＜Ｅｒｒ（“０”）
……（３）
RelativeＣＱＩ（ｋ）＝０……Ｅｒｒ（“１”）≧Ｅｒｒ（“０”）
……（４）
【００５６】
この相対値に応じて復元値を求める。
ReＣＱＩ（ｋ：ｔ）＝ＣＱＩ（ｋ；ｔ−１）＋Ａ
…RelativeＣＱＩ（ｋ）＝１
ReＣＱＩ（ｋ：ｔ）＝ＣＱＩ（ｋ；ｔ−１）−Ａ
…RelativeＣＱＩ（ｋ）＝０
ここで、記録されているＣＱＩ値をＣＱＩ（ｋ；ｔ-1）で表し、ｋはＲＢ番号、ｔは時刻を表す。第４の実施の形態と同様に、複数のステップ幅について比較して誤差が最小となるステップ幅を選択する。ＭＳ−ＣＱＩ値記録部７には、誤差が最小となるReＣＱＩ（ｋ；ｔ）を記録する。
【００５７】
図１８に移動局の復元値の計算動作の例を示す。ステップ幅Ａの大きさが２の様子を示している。図１８において、基準ＲＢを除く他のＲＢについて、前回復元値（記録値）に対してステップ幅をそれぞれ増減して２つの仮復元値を得て、測定値に近い方の仮復元値を復元値とし、当該ステップ幅を増減させるための情報を復元値の相対値を示すビットマップとして生成する。なお、ステップ幅の選択については、復元値が今回測定値に最も近いものを選択することは上記と同様である。
【００５８】
ＣＱＩ情報生成部４は基準ＲＢの番号と基準ＲＢ（絶対値を通知するＲＢ）のＣＱＩ値と復元値の相対値RelativeＣＱＩ（ｋ）とステップ幅の情報を図１９に示すフォーマット３で制御信号送信部へ通知する。復元値の相対値RelativeReＣＱＩ（ｋ）を復元値の相対値情報に変換する方法は第４の実施の形態と同様である。また、基地局の動作を図２０に示すが、復元値の相対値情報を時間相対値情報とみなすと第４の実施の形態の基地局と同じ動作になるので、詳細は省略する。
【００５９】
＜第５の実施の形態の変形例（実施例５の変形例）＞
第５の実施の形態の変形例の移動局の動作を、図２１に示す。先ず、基準ＲＢのＣＱＩ測定値を復元値に設定する（Step a）。そして、ＣＱＩ測定値とＣＱＩ記録値とを比較し（Step b）、この比較結果において、ＣＱＩ測定値がＣＱＩ記録値より大きければ、相対値１を、逆であれば、相対値０を復元値の相対値とする（Step c）。相対値が１であれば、復元値にステップ幅を加算してＲＢの復元値とし、相対値が０であれば、復元値にステップ幅を減算してＲＢの復元値とする（Step d）。
【００６０】
復元値ReＣＱＩ（ｋ；ｔ）は次式で計算する。ｋ0 は基準ＲＢのＲＢ番号、ＣＱＩ（ｋ）はＲＢ番号ｋのＣＱＩ値、Ａはステップ幅とする。
ｋ＝ｋ0   ReＣＱＩ（ｋ；ｔ）＝ＣＱＩ（ｋ；ｔ）
ｋ≠ｋ0   ReＣＱＩ（ｋ；ｔ）＝ReＣＱＩ（ｋ；ｔ−１）＋Ａ
……RelativeＣＱＩ（ｋ）＝１
ReＣＱＩ（ｋ；ｔ）＝ReＣＱＩ（ｋ；ｔ−１）−Ａ
……RelativeＣＱＩ（ｋ）＝０
但し、復元値の相対値RelativeＣＱＩ（ｋ）は次式で定義している。
RelativeＣＱＩ（ｋ）＝１……ＣＱＩ（ｋ；ｔ）≧ReＣＱＩ（ｋ；ｔ−１）
RelativeＣＱＩ（ｋ）＝０……ＣＱＩ（ｋ；ｔ）＜ReＣＱＩ（ｋ；ｔ−１）
基地局の動作は第５の実施の形態と同等であり、省略する。
【００６１】
＜第６の実施の形態（実施例６）＞
第６の実施の形態の移動局の構成を図２２に示す。基地局の構成および動作は第５の実施の形態と変わらないので省略する。第５の実施の形態との違いは、移動局のＣＱＩ測定部１の後にＣＱＩ値平滑化部８が追加された点である。ＣＱＩ値平滑化部８はＣＱＩ測定部１によって得られるＣＱＩ値に対して、所定の値以下のＣＱＩ値を所定の値に置き換える。例えば、予め決められてある値でも良いし、平均値を使ってもよい。図２３に移動局の計算動作の例を示しており、第５の実施の形態の動作に、測定ＣＱＩ値に対して所定の値以下のＣＱＩ値を所定の値に置き換える動作が追加されており、他は同等である。移動局の送信フォーマットは第５の実施の形態と同一である。
【００６２】
更に、第４の実施の形態において、第６の実施の形態と同様に、ＣＱＩ値平滑化部を加えた構成を取ることができる。平滑化のための平滑レベルとしては、上記値の他に、最大値や中央値などの他に、あるレベルを基準に一定範囲で平滑化（一定値以下を切り捨て）することもできる。
【００６３】
上記の第４〜第６の実施の形態では、基準ＲＢ（絶対値を通知するＲＢ）以外は、過去のそのＲＢの値を使用するので、基準ＲＢは時間的にずれていく。そこで、ＣＱＩの値を周期的にリセットする。ＣＱＩ値の絶対値を通知するＲＢは必ずしも１つでなくても良く、一度に複数のＲＢのＣＱＩ値の絶対値を通知しても良い。また、周期的に一斉に全てのＲＢについて送っても良いが、絶対値を通知するＲＢを順番に変えていく方が、送信に要するバイト数が極端に大きくなることがない。
【００６４】
＜第７の実施の形態（実施例７）＞
第７の実施の形態の移動局の構成を図２４に示す。基地局の構成は図２と同じである。移動局は、ＣＱＩ測定部１、基準ＲＢ決定部５、相対値計算部６、ＣＱＩ情報生成部４から構成される。
【００６５】
図２５を使って移動局の動作を説明する。先ず、移動局は復元したＣＱＩ値と測定したＣＱＩ値との誤差が最小となるステップ幅を求めるために復元を行う。１つのステップ幅を使って復元する方法について説明する。相対値は隣接（周波数の高低方向または上下方向に隣接）にするＲＢのＣＱＩ値の大小関係を表す。先ず、基準ＲＢ番号ｋ0 よりも小さなＲＢ番号ｋの相対値は、隣接するＲＢ番号（ｋ＋１）の測定値よりも大きいか小さいかを調べる（ステップＳ５１，５２）、例えば、基準ＲＢが６の時、ＲＢ番号４の相対値はＲＢ番号４のＣＱＩがＲＢ番号５のＣＱＩに対して大きいか小さいかを表す。
【００６６】
一方、基準ＲＢ番号ｋ0 よりも大きなＲＢ番号ｋの相対値は、隣接するＲＢ番号（ｋ−１）に対して測定値が大きいか小さいかを調べる（ステップＳ５７，５８）。例えば、基準ＲＢ番号が６の時、ＲＢ番号８の相対値はＲＢ番号８のＣＱＩ値がＲＢ番号７のＣＱＩ値に対して大きいか小さいかを表す。従って、ＲＢ番号ｋの隣接相対値RelativeＣＱＩ（ｋ）は次式となる。但し、ＣＱＩ（k)はＲＢ番号ｋの測定したＣＱＩ値を表す（ステップＳ５４，Ｓ５５，Ｓ６０，Ｓ６１）。
【００６７】
ｋ＜ｋ0   RelativeＣＱＩ（ｋ）＝１  …ＣＱＩ（ｋ）＞ＣＱＩ（ｋ＋１）
RelativeＣＱＩ（ｋ）＝０  …ＣＱＩ（ｋ）≦ＣＱＩ（ｋ＋１）
ｋ＞ｋ0   RelativeＣＱＩ（ｋ）＝１  …ＣＱＩ（ｋ）＞ＣＱＩ（ｋ−１）
RelativeＣＱＩ（ｋ）＝０  …ＣＱＩ（ｋ）≦ＣＱＩ（ｋ−１）
なお、本例では、比較結果を大か小の２段階で示して“０”と“１”の１ビット表記としているが、“００”，“０１”，“１０”，“１１”の２ビット表記として、４段階表記としてもよい。このとき判定しきい値Ｘを導入し以下のように定義できる。判定しきい値Ｘは予め決めておけばよい。
【００６８】
ｋ＜ｋ0 RelativeＣＱＩ（ｋ）＝１１
…ＣＱＩ（ｋ）＞ＣＱＩ（ｋ＋１）＋Ｘ
RelativeＣＱＩ（ｋ）＝０１
…ＣＱＩ（ｋ＋１）＜ＣＱＩ（ｋ）≦ＣＱＩ（ｋ＋１）＋Ｘ
RelativeＣＱＩ（ｋ）＝００
…ＣＱＩ（ｋ＋１）−Ｘ＜ＣＱＩ（ｋ）≦ＣＱＩ（ｋ＋１）
RelativeＣＱＩ（ｋ）＝１０
…ＣＱＩ（ｋ）≦ＣＱＩ（ｋ＋１）−Ｘ
ｋ＞ｋ0 RelativeＣＱＩ（ｋ）＝１１
…ＣＱＩ（ｋ）＞ＣＱＩ（ｋ−１）＋Ｘ
RelativeＣＱＩ（ｋ）＝０１
…ＣＱＩ（ｋ−１）＜ＣＱＩ（ｋ）≦ＣＱＩ（ｋ−１）−Ｘ
RelativeＣＱＩ（ｋ）＝００
…ＣＱＩ（ｋ−１）−Ｘ＜ＣＱＩ（ｋ）≦ＣＱＩ（ｋ−１）
RelativeＣＱＩ（ｋ）＝１０
…ＣＱＩ（ｋ）≦ＣＱＩ（ｋ−１）−Ｘ
【００６９】
更に、基準ＲＢの番号ｋ0 とそのＣＱＩ値（ＣＱＩ０）と隣接相対値RelativeＣＱＩ（ｋ）およびステップ幅Ａを使って、以下のように復元値ReＣＱＩ（ｋ）を復元する。
ｋ＝ｋ0   ReＣＱＩ（ｋ）＝ＣＱＩ０
ｋ＜ｋ0   ReＣＱＩ（ｋ）＝ReＣＱＩ（ｋ＋１）＋Ａ
…RelativeＣＱＩ（ｋ）＝１
ReＣＱＩ（ｋ）＝ReＣＱＩ（ｋ＋１）−Ａ
…RelativeＣＱＩ（ｋ）＝０
ｋ＞ｋ0   ReＣＱＩ（ｋ）＝ReＣＱＩ（ｋ−１）＋Ａ
…RelativeＣＱＩ（ｋ）＝１
ReＣＱＩ（ｋ）＝ReＣＱＩ（ｋ−１）−Ａ
…RelativeＣＱＩ（ｋ）＝０
【００７０】
また、隣接相対値RelativeＣＱＩ（ｋ）を４段階で表現したときは、復元値ReＣＱＩ（ｋ）は次式で復元する。
ｋ＝ｋ0 ReＣＱＩ（ｋ）＝ＣＱＩ０
ｋ＜ｋ0 ReＣＱＩ（ｋ）＝ReＣＱＩ（ｋ＋１）＋３×Ａ
…RelativeＣＱＩ（ｋ）＝１１
ReＣＱＩ（ｋ）＝ReＣＱＩ（ｋ＋１）＋Ａ
…RelativeＣＱＩ（ｋ）＝０１
ReＣＱＩ（ｋ）＝ReＣＱＩ（ｋ＋１）−Ａ
…RelativeＣＱＩ（ｋ）＝００
ReＣＱＩ（ｋ）＝ReＣＱＩ（ｋ＋１）−３×Ａ
…RelativeＣＱＩ（ｋ）＝１０
ｋ＞ｋ0 ReＣＱＩ（ｋ）＝ReＣＱＩ（ｋ−１）＋３×Ａ
…RelativeＣＱＩ（ｋ）＝１１
ReＣＱＩ（ｋ）＝ReＣＱＩ（ｋ−１）＋Ａ
…RelativeＣＱＩ（ｋ）＝０１
ReＣＱＩ（ｋ）＝ReＣＱＩ（ｋ−１）−Ａ
…RelativeＣＱＩ（ｋ）＝００
ReＣＱＩ（ｋ）＝ReＣＱＩ（ｋ−１）−３×Ａ
…RelativeＣＱＩ（ｋ）＝１０
【００７１】
ステップ幅Ａの大きさは、例えば、予め複数用意しておき、ＣＱＩ測定値との誤差が最小となるステップ幅を選択する。誤差の計算方法は、ＲＢ毎の測定したＣＱＩ値と復元したＣＱＩ値との差の絶対値の和で求められる。あるいは、上位Ｍ（Ｍは１以上の整数）のＲＢの測定したＣＱＩ値と復元したＣＱＩ値の差の絶対値の和でもよい。
【００７２】
ＣＱＩ情報生成部４では、基準ＲＢのＣＱＩ値、隣接相対値情報およびステップ幅の情報を図２６に示したフォーマット４で制御情報送信部に報告する。情報の順序は一例である。ここで、隣接相対値情報は隣接相対値RelativeＣＱＩ（ｋ）から基準ＲＢの番号ｋ0 以外の（Ｋ−１）個のＲＢ番号の小さい順に並べることで作成できる。また、ステップ幅情報は、予め移動局と基地局で複数のステップ幅と番号の対応表を用意しておき、移動局は選択したステップ幅の番号をステップ幅情報として通知する。
【００７３】
図２７は移動局の計算動作の例を示したものである。基地局のＣＱＩ受信部１０では、基準ＲＢのＣＱＩ値、隣接相対値情報およびステップ幅を取り出す。隣接相対値情報から基準ＲＢ以外のＲＢの隣接相対値を取り出す。この基準ＲＢを基準として、上下方向（高低方向）にそれぞれ隣接する帯域に対する相対値情報を得て、この相対値情報をビットマップとして生成する。そして、この相対値情報に応じてステップ幅を増減して各ＲＢの通信路品質の復元値を得て、この復元値が今回測定値に最も近いステップ幅を選択する。最後に、基準ＲＢのＣＱＩ値、隣接相対値情報およびステップ幅の情報を図２６に示したフォーマット４として、送信する。
【００７４】
図２８に示すように、基準ＲＢの復元値を設定し（ステップＳ７１）、基準ＲＢ番号ｋ0 よりも小さなＲＢ番号ｋの復元値を計算する（ステップＳ７１〜ステップＳ７７）。最小のＲＢの復元値を計算したら基準ＲＢｋ０より大きなＲＢ番号ｋの復元値を計算する（ステップＳ７８〜ステップＳ８２参照）。
ｋ＝ｋ0   ReＣＱＩ（ｋ）＝ＣＱＩ０
ｋ＜ｋ0   ReＣＱＩ（ｋ）＝ReＣＱＩ（ｋ＋１）＋Ａ
…RelativeＣＱＩ（ｋ）＝１
ReＣＱＩ（ｋ）＝ReＣＱＩ（ｋ＋１）−Ａ
…RelativeＣＱＩ（ｋ）＝０
ｋ＞ｋ0   ReＣＱＩ（ｋ）＝ReＣＱＩ（ｋ−１）＋Ａ
…RelativeＣＱＩ（ｋ）＝１
ReＣＱＩ（ｋ）＝ReＣＱＩ（ｋ−１）−Ａ
…RelativeＣＱＩ（ｋ）＝０
【００７５】
図２９を参照すると、基準ＲＢ以外の隣接相対値をビットマップから作成し、基準ＲＢから順に隣接相対値に応じてステップ幅を増減し、基準ＲＢには報告値を設定して、各ＲＢのＣＱＩ復元値を得ることになる。
【００７６】
＜第８の実施の形態（実施例８）＞
第８の実施の形態の移動局の構成を図３０に示す。基地局の構成は第７の実施の形態と変わらないので省略する。第７の実施の形態との違いはＣＱＩ値平滑化部８が追加された点である。ＣＱＩ値平滑化部８はＣＱＩ測定部１によって得られるＣＱＩ値に対して、所定の値以下のＣＱＩ値を所定の値に置き換える。例えば、予め決められてある値でも良いし、平均値を使ってもよい。また、平滑化のための平滑レベルとしては、上記値の他に、最大値や中央値などの他に、あるレベルを基準に一定範囲で平滑化（一定値以下を切り捨て）することもできる。図３１は移動局の計算例を示す。送信フォーマットは第７の実施の形態と同じフォーマット４で報告する。残りの処理は第７の実施の形態と同じなので省略する。
【００７７】
＜第９の実施の形態（実施例９）＞
第９の実施の形態の移動局の構成を図３２に示す。基地局の構成は第７の実施の形態と変わらないので省略する。第７の実施の形態との違いは平均値計算部２が追加された点である。
【００７８】
移動局の動作は、ＣＱＩの平均値を求め、第７の実施の形態と同様に比較を行う。但し、移動局ではステップ幅の計算を行わない点が異なる。図３３に移動局の計算動作の例を示した。ＣＱＩ情報生成部４では、基準ＲＢのＣＱＩ値、隣接相対値情報および平均値を図３４のフォーマット５で制御情報送信部に報告する。情報の順序は一例である。
【００７９】
基地局は、移動局から報告された基準ＲＢのＣＱＩ値、隣接相対値情報を使って第７の実施例と同様にＲＢ毎の復元値を計算する。ここで、ステップ幅は基地局内に保持されている値である。あるステップ幅で得られたＲＢ毎のＣＱＩ値と平均値は次式のような関係にある。
ΣReＣＱＩ（ｋ）＝Ｋ×ＣＱＩＡ    （Σはｋ＝１〜Ｋの総和）
ここで、ReＣＱＩ（ｋ）はＲＢ番号ｋの復元値であり、ＣＱＩＡは平均値である。
【００８０】
ステップ幅を変えて上式の左辺を複数求め、報告された平均値を使って得られる右辺に最も近いステップ幅で復元された値を復元値とする。図３５に基地局の計算動作の例を示す。
【００８１】
＜第１０の実施の形態（実施例１０）＞
第１０の実施の形態の移動局の構成を図３６に示す。基地局の構成は第９の実施の形態と変わらないので省略する。移動局の第９の実施の形態との違いはＣＱＩ値平滑化部８が追加された点である。ＣＱＩ値平滑化部８はＣＱＩ測定部１によって得られるＣＱＩ値に対して、所定の値以下のＣＱＩ値を所定の値に置き換える。例えば、予め決められてある値でも良いし、平均値を使ってもよい。また、平滑化のための平滑レベルとしては、上記値の他に、最大値や中央値などの他に、あるレベルを基準に一定範囲で平滑化（一定値以下を切り捨て）することもできる。所定の値により平滑化したＣＱＩを使って第９の実施の形態と同様の動作を行う。移動局の計算動作の例を図３７に示す。第９の実施の形態と同じく送信フォーマット５を使って報告する。
【００８２】
なお、第９，第１０の実施の形態に用いる送信フォーマット５では、基準ＲＢのＣＱＩ値と平均値とを送る代りに、一方の絶対値を送って、他方は、それに対する相対値を送っても良い。
【００８３】
＜第１１の実施の形態（実施例１１）＞
第１１の実施の形態は第７の実施の形態と構成は同じであるが、相対値計算部６の動作が異なる。本例では、隣接するＲＢの復元値にステップ幅Ａを加算または減算して得られる復元値と測定値とが近くなるように増加または減少かを復元値の相対値で表すものである。図３８を使って移動局の動作を説明する。相対値は復元したＣＱＩと測定したＣＱＩを用いて計算する点が、第７の実施の形態と異なる。
【００８４】
基準ＲＢ番号ｋ0 （ステップＳ９１）より小さなＲＢ番号ｋに対しては（ステップＳ９２，Ｓ９２）、隣接するＲＢ番号（ｋ＋１）の復元値から作成した復元値がＲＢ番号ｋの測定値に近くなるように増加または減少させることを相対値で表す。例えば、基準ＲＢが６の時、ＲＢ番号４の相対値はＲＢ番号５の復元値にステップ幅だけ増加または減少して得られるＲＢ番号４の復元値の候補とＲＢ番号４の測定値とを比較し、差が小さくなるのが増加させる時か減少する時かを検出し、差が小さな復元値の候補をＲＢ番号４の復元値にする。そのときの増加または減少を表す値として、相対値を決定する（ステップＳ９３〜Ｓ９７）。
【００８５】
一方、基準ＲＢ番号ｋ0 より大きなＲＢ番号ｋに対しては（ステップＳ９８）、隣接する小さなＲＢ番号（ｋ−１）の復元値から作成した復元値がＲＢ番号ｋの測定値に近くなるように増加または減少させることを相対値で表す。例えば、基準ＲＢが６の時、ＲＢ番号８の相対値はＲＢ番号７の復元値にステップ幅だけ増加または減少して得られるＲＢ番号８の復元値の候補とＲＢ番号８の測定値を比較し、差が小さくなるのが増加させる時か減少する時かを検出し、差が小さな復元値の候補をＲＢ番号８の復元値とする。そのときの増加または減少を表す値として、相対値を決定する（ステップＳ９９〜Ｓ１０３）。
【００８６】
ステップ幅をＡとし、相対値RelativeＣＱＩ（ｋ）に応じて復元値ReＣＱＩ（ｋ）を次の式で計算する。
ｋ＝ｋ0   ReＣＱＩ（ｋ）＝ＣＱＩ０
ｋ＜ｋ0   ReＣＱＩ（ｋ）＝ReＣＱＩ（ｋ＋１）＋Ａ
…RelativeReＣＱＩ（ｋ）＝１
ReＣＱＩ（ｋ）＝ReＣＱＩ（ｋ＋１）−Ａ
…RelativeReＣＱＩ（ｋ）＝０
ｋ＞ｋ0   ReＣＱＩ（ｋ）＝ReＣＱＩ（ｋ−１）＋Ａ
…RelativeReＣＱＩ（ｋ）＝１
ReＣＱＩ（ｋ）＝ReＣＱＩ（ｋ−１）−Ａ
…RelativeReＣＱＩ（ｋ）＝０
【００８７】
ここで、復元値の相対値RelativeReＣＱＩは次式である。
RelativeReＣＱＩ（ｋ）＝１  …if  Err(k;"1")≦Err(k;"0")
RelativeReＣＱＩ（ｋ）＝０  …if  Err(k;"1")＞Err(k;"0")
Err(k;"1")、Err(k;"0")は、それぞれ次の式で得られる誤差を表しており、“１”はステップ幅だけ増加したときを表し、“０”はステップ幅だけ減少したときを表す。
ｋ＜ｋ0   Err(k;"1")＝｜ＣＱＩ（ｋ）−ReＣＱＩ（ｋ＋１）＋Ａ｜
Err(k;"0")＝｜ＣＱＩ（ｋ）−ReＣＱＩ（ｋ＋１）−Ａ｜
ｋ＞ｋ0   Err(k;"1")＝｜ＣＱＩ（ｋ）−ReＣＱＩ（ｋ−１）＋Ａ｜
Err(k;"0")＝｜ＣＱＩ（ｋ）−ReＣＱＩ（ｋ−１）−Ａ｜
である。なお、本例では、比較結果を大か小の２段階で示して１ビット表記としているが、２ビット表記として、４段階表記としてもよい。このとき、下記のように計算する。
【００８８】
ｋ＜ｋ0 Err(k;"11") ＝｜ＣＱＩ（ｋ）−ReＣＱＩ（ｋ＋１）＋３×Ａ｜
Err(k;"01") ＝｜ＣＱＩ（ｋ）−ReＣＱＩ（ｋ＋１）＋Ａ｜
Err(k;"00") ＝｜ＣＱＩ（ｋ）−ReＣＱＩ（ｋ＋１）−Ａ｜
Err(k;"10") ＝｜ＣＱＩ（ｋ）−ReＣＱＩ（ｋ＋１）−３×Ａ｜
ｋ＞ｋ0   Err(k;"11") ＝｜ＣＱＩ（ｋ）−ReＣＱＩ（ｋ−１）＋３×Ａ｜
Err(k;"01") ＝｜ＣＱＩ（ｋ）−ReＣＱＩ（ｋ−１）＋Ａ｜
Err(k;"00") ＝｜ＣＱＩ（ｋ）−ReＣＱＩ（ｋ−１）−Ａ｜
Err(k;"10") ＝｜ＣＱＩ（ｋ）−ReＣＱＩ（ｋ−１）−３×Ａ｜
【００８９】
複数のステップ幅を使って復元値を求め、ＣＱＩ測定値と復元値の誤差が小さくなるステップ幅を選択する。誤差の計算方法は、例えば、ＲＧ毎の測定したＣＱＩ値と復元したＣＱＩ値との差の絶対値の和で求められる。あるいは、上位Ｍ（Ｍは１以上の整数）のＲＢの測定したＣＱＩ値と復元したＣＱＩ値との差の絶対値の和でもよい。
【００９０】
ＣＱＩ情報生成部４は得られた基準ＲＢの番号と基準ＲＢのＣＱＩ値と復元値の相対値情報とステップ幅を図３９に示すフォーマット６で制御信号送信部へ通知する。ここで、復元値の相対値情報は復元値の相対値RelativeReＣＱＩ（ｋ）から基準ＲＢの番号ｋ0 以外の（Ｋ−１）個のＲＢ番号の小さい順に並べることで作成できる。また、ステップ幅情報は、予め移動局と基地局で複数のステップと番号の対応表を用意しておき、移動局は選択したステップ幅の番号をステップ幅情報として通知する。
【００９１】
図４０にステップ幅を２としたときの移動局の計算動作の例を示す。図４０を参照すると、基準ＲＢを選択し、この基準ＲＢを基準として上下方向（高低方向）にそれぞれ隣接帯域について、この隣接帯域に対してステップ幅を増減して２つの復元値候補を得て、測定値に近い復元値候補が、ステップ幅を増減したどの復元値候補かを示す復元値の相対値情報を、ビットマップとして生成する。そして、複数のステップ幅の各々について、相対値情報を用いて復元値を求め、この復元値が測定値に最も近いステップ幅を選択する。この選択したステップ幅情報と、基準ＲＢのＣＱＩ値と、ビットマップとを、フォーマット６で基地局へ報告する。
【００９２】
基地局は、ＣＱＩ受信部１０において基準ＲＢのＣＱＩ値と復元値の相対値情報から復元値の相対値とステップ幅を取り出す。第７の実施例と同様に報告された基準ＲＢのＣＱＩ値に対して復元値の相対値に従いＲＢのＣＱＩ値を、次式で計算する。
ｋ＝ｋ0   ReＣＱＩ（ｋ）＝ＣＱＩ０
ｋ＜ｋ0   ReＣＱＩ（ｋ）＝ReＣＱＩ（ｋ＋１）＋Ａ
…RelativeReＣＱＩ（ｋ）＝１
ReＣＱＩ（ｋ）＝ReＣＱＩ（ｋ＋１）−Ａ
…RelativeReＣＱＩ（ｋ）＝０
ｋ＞ｋ0   ReＣＱＩ（ｋ）＝ReＣＱＩ（ｋ−１）＋Ａ
…RelativeReＣＱＩ（ｋ）＝１
ReＣＱＩ（ｋ）＝ReＣＱＩ（ｋ−１）−Ａ
…RelativeReＣＱＩ（ｋ）＝０
【００９３】
図４１に基地局の計算動作の例を示す。基地局では、基準ＲＢから順に隣接ＲＢのＣＱＩ値に対して、隣接相対値に従ってステップ幅を増減して復元値を得る。そして、復元値の平均値が報告された平均値に近いステップ幅を選択する。
【００９４】
また、復元値の相対値を４段階で表したときは、以下のようになる。
ｋ＝ｋ0   ReＣＱＩ（ｋ）＝ＣＱＩ０
ｋ＜ｋ0   ReＣＱＩ（ｋ）＝ReＣＱＩ（ｋ＋１）＋３×Ａ
…RelativeReＣＱＩ（ｋ）＝１１
ReＣＱＩ（ｋ）＝ReＣＱＩ（ｋ＋１）＋Ａ
…RelativeReＣＱＩ（ｋ）＝０１
ReＣＱＩ（ｋ）＝ReＣＱＩ（ｋ＋１）−Ａ
…RelativeReＣＱＩ（ｋ）＝００
ReＣＱＩ（ｋ）＝ReＣＱＩ（ｋ＋１）−３×Ａ
…RelativeReＣＱＩ（ｋ）＝１０
ｋ＞ｋ0   ReＣＱＩ（ｋ）＝ReＣＱＩ（ｋ−１）＋３×Ａ
…RelativeReＣＱＩ（ｋ）＝１１
ReＣＱＩ（ｋ）＝ReＣＱＩ（ｋ−１）＋Ａ
…RelativeReＣＱＩ（ｋ）＝０１
ReＣＱＩ（ｋ）＝ReＣＱＩ（ｋ−１）−Ａ
…RelativeReＣＱＩ（ｋ）＝００
ReＣＱＩ（ｋ）＝ReＣＱＩ（ｋ−１）−３×Ａ
…RelativeReＣＱＩ（ｋ）＝１０
【００９５】
＜第１１の実施の形態の変形例（実施例１１の変形例）＞
本例における移動局の動作を図４２に示している。先ず、基準ＲＢのＣＱＩ測定値を復元値に設定する(Step a)。そして、ＣＱＩ測定値と隣接ＲＢの復元値を比較し(Step b)、この比較結果において、ＣＱＩ測定値が隣接ＲＢの復元値より大きい場合、相対値を１に、逆の場合、相対値を０に、それぞれ設定する(Step c)。相対値が１ならば、隣接ＲＢの復元値にステップ幅を加算し、相対値が０ならば、隣接ＲＢの復元値にステップ幅を減算して、ＲＢの復元値とする(Step d)。
【００９６】
復元値ReＣＱＩ（ｋ）の計算は以下のとおりである。ｋ0 は基準ＲＢの番号、ＣＱＩ（ｋ）はＲＢ番号ｋのＣＱＩ値、Ａはステップ幅である。
ｋ＝ｋ0   ReＣＱＩ（ｋ）＝ＣＱＩ（ｋ）
ｋ＜ｋ0   ReＣＱＩ（ｋ）＝ReＣＱＩ（ｋ＋１）＋Ａ
……RelativeＣＱＩ（ｋ）＝１
ReＣＱＩ（ｋ）＝ReＣＱＩ（ｋ＋１）−Ａ
……RelativeＣＱＩ（ｋ）＝０
ｋ＞ｋ0   ReＣＱＩ（ｋ）＝ReＣＱＩ（ｋ−１）＋Ａ
……RelativeＣＱＩ（ｋ）＝１
ReＣＱＩ（ｋ）＝ReＣＱＩ（ｋ−１）−Ａ
……RelativeＣＱＩ（ｋ）＝０
【００９７】
但し、復元値の相対値RelativeＣＱＩ（ｋ）は次式で定義される。
ｋ＜ｋ0   RelativeＣＱＩ（ｋ）＝１  ＣＱＩ（ｋ）≧ReＣＱＩ（ｋ＋１）
RelativeＣＱＩ（ｋ）＝０  ＣＱＩ（ｋ）＜ReＣＱＩ（ｋ＋１）
ｋ＞ｋ0   RelativeＣＱＩ（ｋ）＝１  ＣＱＩ（ｋ）≧ReＣＱＩ（ｋ−１）
RelativeＣＱＩ（ｋ）＝０  ＣＱＩ（ｋ）＜ReＣＱＩ（ｋ−１）
【００９８】
＜第１２の実施の形態（実施例１２）＞
第１２の実施の形態の構成は第１１の実施の形態の移動局にＣＱＩ値平滑化部８を追加したものである。ＣＱＩ値平滑化部８はＣＱＩ測定部１によって得られるＣＱＩ値に対して、所定の値より小さなＣＱＩ値を所定の値に置き換える。例えば、予め決められてある値でも良いし、平均値を使ってもよい。また、平滑化のための平滑レベルとしては、上記値の他に、最大値や中央値などの他に、あるレベルを基準に一定範囲で平滑化（一定値以下を切り捨て）することもできる。図４３に移動局の計算動作の例を示した。報告は第１１の実施の形態と同じく送信フォーマット６を使う。残りの動作は第１１の実施の形態と同じなので省略する。
【００９９】
＜第１３の実施の形態（実施例１３）＞
第１３の実施の形態の構成は、第１２の実施の形態の移動局において基準ＲＢ決定部の動作が異なる。第１２の実施の形態では所定の規則で決定していたが、送信タイミング毎に所定の規則で巡回して基準ＲＢを決定する。例えば、フレーム番号を用いて初期値を決め、そのＲＢから全てのＲＢをＲＢの番号順に巡回すればよい。その他の動作は第１２の実施の形態と同一であるので省略する。報告は送信フォーマット６を使う。
【０１００】
更に、第７の実施の形態から第１１の実施の形態において、第１３の実施の形態と同様に、基準ＲＢ決定部は送信タイミング毎に所定の規則で巡回して基準ＲＢを決定しても良い。
【０１０１】
＜第１４の実施の形態（実施例１４）＞
第１４の実施の形態の移動局の構成を図４４に示す。基地局の構成は第１１の実施の形態と変わらないので省略する。移動局は、最大値検索部３が第１１の実施の形態に追加されている。第１１の実施の形態との違いは、基準ＲＢのＣＱＩ値を報告する代わりに、測定したＣＱＩ値の最大値を報告する点である。その目的は、復元される値が基準ＲＢのＣＱＩ値に依存するために、復元されたＣＱＩ値の最大値と測定されたＣＱＩ値の最大値とを一致させるためである。基地局では、適当なＲＢに適当な初期ＣＱＩ値を与えて相対値からの仮のＣＱＩ値を復元し、復元したＣＱＩ値の最大値と報告されたＣＱＩ値との差分だけ復元値をシフトさせる。
【０１０２】
先ず、移動局は、ＣＱＩ測定部１によりＣＱＩ値を求め、最大値検索部でＣＱＩ値の最大値を求める。第１１の実施の形態の移動局と同様に基準ＲＢを使って復元値の相対値を計算する。ＣＱＩ情報生成部４では、基準ＲＢの番号と最良のＣＱＩ値と復元値の相対値情報とステップ幅情報を送信する。移動局の動作の例を図４５に示す。図４５において、各ＲＢのＣＱＩ測定値を得て、復元値の相対値情報であるビットマップを生成するまでは、第１１の実施の形態と同一動作である。その後、ＣＱＩ測定値の最大値を得て、この測定値の最大値と、復元値の相対値情報と、ステップ幅とを、送信系列として作成し、図４６に示すようなフォーマット７として報告することになる。
【０１０３】
基地局では、基準ＲＢのＣＱＩ値を仮の値に設定して、復元値の相対値の情報に基づいて復元値を計算する。計算した復元値の中から最大値を検索し、報告された最大値との差分を求める。求め得た差分を復元値に加えて復元値を修正する。図４７に基地局の計算動作の例を示す。図４７において、ステップ幅を増減して復元値を得るまでは、第１１の実施の形態と同一動作である。その後、この復元後の最大値と報告された測定値の最大値との差分（本例では、５＝２２−１７）を、ステップ幅を増減して得た復元値に加算して、最終的な復元値を得る。
なお、測定値の最大値ではなく、ＲＢの何番目かのＣＱＩ値を通知し、それを復元後同じ値にするような動作なら可能である。また、最大のＲＢを基準ＲＢとし、そのＲＢの位置も通知するようにしても良い。更にはまた、基準値としては最大値ではなく最小値でも良く、中央値や平均値などの統計値もあり得る。
【０１０４】
＜第１５の実施の形態（実施例１５）＞
第１５の実施の形態の移動局の構成を図４８に示す。第１４の実施の形態との違いは、ＣＱＩ値平滑化部８が追加された点である。他の実施例と同様にＣＱＩ値平滑化部８は所定の値より小さなＣＱＩ値を所定の値に置き換える。例えば、予め決められてある値でも良いし、平均値を使ってもよい。また、平滑化のための平滑レベルとしては、上記値の他に、最大値や中央値などの他に、あるレベルを基準に一定範囲で平滑化（一定値以下を切り捨て）することもできる。最大値検索部は、平滑化したＣＱＩ値に対して最大値を検索し、報告する。図４９に移動局の計算動作の例を示す。送信フォーマット７が適用される。その他の動作は第１４の実施の形態と同じであるので省略する。
【０１０５】
＜第１６の実施の形態（実施例１６）＞
第１６の実施の形態の移動局の構成を図５０に示す。基地局構成は第１５の実施の形態と同一であるので構成図は省略する。第１５の実施の形態との違いは、移動局の最大値検索部の動作である。第１５の実施の形態では、平滑化したＣＱＩ値に対して最大値を検索したが、復元値に対して最大値を検索し、復元値の最大値を報告する。移動局の計算動作の例を図５１に示す。図５１において、先ず、各ＲＢの測定ＣＱＩ値を所定の値（本例では、１４）で平滑化して２つの復元値候補を得て、しかる後に復元値を得る。そして、図５２のフォーマット８に示すように、この復元値の最大値を、フォーマット７の測定値の最大値に代えて、送信する。その他の動作は第１５の実施の形態と同一なので省略する。
【０１０６】
＜第１７の実施の形態（実施例１７）＞
第１７の実施の形態の構成は第１６の実施の形態と同一であるので構成図は省略する。第１６の実施の形態との違いは、ＣＱＩ値の平滑化部の動作である。第１６の実施の形態の平滑化は所定の値以下のＣＱＩ値を所定の値に置き換えるが、本実施の形態では、最大値から所定レベル以下のＣＱＩ値を最大値から所定レベル低い値で置き換える点が異なる。また、平滑化のための平滑レベルとしては、上記値の他に、最大値や中央値などの他に、あるレベルを基準に一定範囲で平滑化（一定値以下を切り捨て）することもできる。移動局の計算動作の例を図５３に示した。その他の動作は第１６の実施の形態と同一なので省略する。
【０１０７】
＜第１８の実施の形態（実施例１８）＞
第１８の実施の形態の構成は第１６の実施の形態と同一であるので構成図は省略する。第１６の実施の形態との違いは、平滑化するときの値の決め方である。第１６の実施の形態では所定の値を用いるが、本実施の形態では基地局から通知される値を用いる点が異なる。その他の動作は同一なので省略する。
【０１０８】
＜第１９の実施の形態（実施例１９）＞
第１９の実施の形態の構成は第１７の実施の形態と同一であるので構成図は省略する。第１７の実施の形態との違いは、平滑化するときの値の決め方である。第１７の実施の形態では、最大値からの所定レベル以下のＣＱＩ値を最大値から所定レベル低い値で置き換えるが、本実施の形態では、基地局から通知される所定レベルを用いて、最大値からの通知レベル以下のＣＱＩ値を最大値から通知レベル低い値に置き換える点で異なる。その他の動作は同一なので省略する。
【０１０９】
＜第２０の実施の形態（実施例２０）＞
第２０の実施の形態の構成は第１９の実施の形態と同一であるので構成図は省略する。第１９の実施の形態との違いは、基準ＲＢ決定部の動作である。第１９の実施の形態の基準ＲＢ決定部は基準ＲＢを所定の規則で決定するが、本実施の形態では、事前に通知されたＲＢを使う点で異なる。その他の動作は同一なので省略する。
【０１１０】
実施例１７〜２０において、報告のためのフォーマットは実施例１６と同じ送信フォーマット８が使われる。実施例７〜１８において、基準ＲＢ決定部では、所定の規則により決定するが、実施例２０のように事前に通知された値を用いても良い。また、各フォーマット１〜８においては、ＣＲＣ（Cyclic Redundancy Check）コードや他の情報を入れても良く、基準ＲＢのＣＱＩ値を挿入しているフォーマット２〜７においては、その基準ＲＢの位置を示す情報を入れても良い。
【０１１１】
以上述べたように、上記実施例においては、移動局が送付するフォーマットはフォーマット１からフォーマット８の８通りであり、ＲＢ数を１２、ＣＱＩ値を５ビット、ステップ幅の候補を２つとすれば、１回の送信に必要なビット数はフォーマット１が２２ビット、フォーマット５が２１ビット、残りのフォーマットは１７ビットである。一方、従来どおり全てのＲＢのＣＱＩ値をそのまま送信すると、６０ビット（＝１２×５）必要となる。これより、報告すべきＣＱＩの数が多くなっても、１回で送信する情報量を少なくできるので、通信帯域に制限がある場合でもスケジューリングや適応変調に必要なＣＱＩ情報を短い周期で基地局に通知することができる。その結果、正確な通信路状態を基地局に通知できるので下り回線のスループットの劣化を避けることができる。
【０１１２】
また、実施例４〜８，１１〜２０においては、ステップ幅を基地局へ送ることは必須ではなく、ステップ幅を１として定めておくことでも実現可能であり、この場合には、ステップ幅に相当するビット数だけ情報量が更に減少する。
【０１１３】
上記の実施例においては、ステップ幅の選択のために、ステップ毎に得られた復元値と測定ＣＱＩ値との誤差の最小を算出する場合に、全ての系列の差の和、上位Ｍ個の誤差を示しているが、それ以外にも、以下のようなものが考えられる。２乗誤差＝Σ（ReＣＱＩ（ｋ）−ＣＱＩ（ｋ））×（ReＣＱＩ（ｋ）−ＣＱＩ（ｋ））、平均値が近いもの（ΣReＣＱＩ（ｋ）／Ｋ）、中央値が近いもの（Median（ReＣＱＩ（ｋ））、測定値が一定レベル以上のＣＱＩの誤差の平均、復元値が一定レベル以上のＣＱＩの誤差の平均、測定値が最大値から一定範囲内のＣＱＩの誤差の平均、復元値が最大値から一定範囲内のＣＱＩの誤差の平均、上位Ｍ個の誤差の平均（または和）は、測定値の上位Ｍ個だけでなく、復元値の上位Ｍ個を対象として、誤差の平均を指標とすることも考えられる。
【０１１４】
さらに、測定値が測定値の平均値以上のＣＱＩの誤差の平均、復元値が復元値の平均値以上のＣＱＩの誤差の平均、測定値が測定値の中央値以上のＣＱＩの誤差の平均、復元値が復元値の中央値以上のＣＱＩの誤差の平均、中央値の代わりにＸパーセント値（Ｘは０〜１００の所定値）であってもよい。
【０１１５】
以上の実施例では、基準ＲＢは５ビットで表現するようになっているが、同じ数のＣＱＩレベルでありながら、基準ＲＢを５ビット未満で表現してもよい。基準ＲＢを５ビット未満の符号で表現した場合、基準ＲＢの復元値に、測定したＣＱＩ値をそのまま設定（コピー）する代わりに、その基準ＲＢの符号で表現されるＣＱＩ値を設定することにより、同様に実施できるものである。
【０１１６】
上述した各実施例における移動局や基地局の動作は、その動作手順を予めＲＯＭなどの記録媒体にプログラムとして格納しておき、これをコンピュータ（ＣＰＵ）により読み取らせて実行するように構成できることは明白である。また、上述した各実施例では、移動局がＣＱＩの情報を測定して基地局へ通知するものとして説明したが、移動局と基地局との役割を入れ替えることも可能である。
【図面の簡単な説明】
【０１１７】
【図１】第１の実施の形態の移動局の構成を示す図である。
【図２】第１の実施の形態の基地局の構成を示す図である。
【図３】第１の実施の形態の移動局の動作を表すフローである。
【図４】第１の実施の形態の移動局の動作の例を表す図である。
【図５】第１の実施形態、第２および第３の実施の形態の移動局のデータの送信フォーマットの一例である。
【図６】第１の実施の形態の基地局の動作の例を表す図である。
【図７】第２の実施の形態の移動局の動作を表すフローである。
【図８】第２の実施の形態の移動局の動作の例を表す図である。
【図９】第３の実施の形態の移動局の動作を表すフローである。
【図１０】第３の実施の形態の移動局の動作の例を表す図である。
【図１１】第４の実施の形態の移動局の構成を表す図である。
【図１２】第４の実施の形態の基地局の構成を表す図である。
【図１３】第４の実施の形態の移動局の動作を表すフローである。
【図１４】第４の実施の形態の移動局の動作の例を表す図である。
【図１５】第４の実施の形態の移動局のデータの送信フォーマットの一例である。
【図１６】第４の実施の形態の基地局の動作を表すフローである。
【図１７】第４の実施の形態の基地局の動作の例を表す図である。
【図１８】第５の実施の形態の移動局の動作の例を表す図である。
【図１９】第５と第６の実施の形態の移動局のデータの送信フォーマットの一例である。
【図２０】第５の実施の形態の基地局の動作の例を表す図である。
【図２１】第５の実施の形態の変形例における移動局の動作の例を表す図である。
【図２２】第６の実施の形態の移動局の構成を表す図である。
【図２３】第６の実施の形態の移動局の動作の例を表す図である。
【図２４】第７の実施の形態の移動局の構成を表す図である。
【図２５】第７の実施の形態の移動局の動作を表すフローである。
【図２６】第７  と第８の実施の形態の移動局のデータの送信フォーマットの一例である。
【図２７】第７の実施の形態の移動局の動作の例を表す図である。
【図２８】第７の実施の形態の基地局の動作を表すフローである。
【図２９】第７の実施の形態の基地局の動作の例を表す図である。
【図３０】第８の実施の形態の移動局の構成を表す図である。
【図３１】第８の実施の形態の移動局の動作の例を表す図である。
【図３２】第９の実施の形態の移動局の構成を表す図である。
【図３３】第９の実施の形態の移動局の動作の例を表す図である。
【図３４】第９と第１０の実施の形態の移動局のデータの送信フォーマットの一例である。
【図３５】第９の実施の形態の基地局の動作の例を表す図である。
【図３６】第１０の実施の形態の移動局の構成を表す図である。
【図３７】第１０の実施の形態の移動局の動作の例を表す図である。
【図３８】第１１の実施の形態の基地局の動作を表すフローである。
【図３９】第１１から第１３の実施の形態の移動局のデータの送信フォーマットの一例である。
【図４０】第１１の形態の移動局の動作の例を表す図である。
【図４１】第１１の形態の基地局の動作の例を表す図である。
【図４２】第１１の形態の変形例における移動局の動作の例を表す図である。
【図４３】第１２の形態の移動局の動作の例を表す図である。
【図４４】第１４の実施の形態の移動局の構成を表す図である。
【図４５】第１４の形態の移動局の動作の例を表す図である。
【図４６】第１４から第１５の実施の形態の移動局のデータの送信フォーマットの一例である。
【図４７】第１４の形態の基地局の動作の例を表す図である。
【図４８】第１５の実施の形態の移動局の構成を表す図である。
【図４９】第１５の形態の移動局の動作の例を表す図である。
【図５０】第１６の実施の形態の移動局の構成を表す図である。
【図５１】第１６の形態の移動局の動作の例を表す図である。
【図５２】第１６から第２０の実施の形態の移動局のデータの送信フォーマットの一例である。
【図５３】第１７の形態の移動局の動作の例を表す図である。
【図５４】システム帯域とＲＢの関係を示す図である。
【符号の説明】
【０１１８】
１  ＣＱＩ測定部
２  平均値測定部
３  最大値検出部
４  ＣＱＩ情報生成部
５  基準ＲＢ決定部
６  相対値計算部
７  ＭＳ−ＣＱＩ値記録部
８  ＣＱＩ値平滑化部
１０  ＣＱＩ受信部
１１  ＣＱＩ再生部
１２  ＢＳ−ＣＱＩ値記録部
【図１】
0004760515.tif 000002
【図２】
0004760515.tif 000003
【図３】
0004760515.tif 000004
【図４】
0004760515.tif 000005
【図５】
0004760515.tif 000006
【図６】
0004760515.tif 000007
【図７】
0004760515.tif 000008
【図８】
0004760515.tif 000009
【図９】
0004760515.tif 000010
【図１０】
0004760515.tif 000011
【図１１】
0004760515.tif 000012
【図１２】
0004760515.tif 000013
【図１３】
0004760515.tif 000014
【図１４】
0004760515.tif 000015
【図１５】
0004760515.tif 000016
【図１６】
0004760515.tif 000017
【図１７】
0004760515.tif 000018
【図１８】
0004760515.tif 000019
【図１９】
0004760515.tif 000020
【図２０】
0004760515.tif 000021
【図２１】
0004760515.tif 000022
【図２２】
0004760515.tif 000023
【図２３】
0004760515.tif 000024
【図２４】
0004760515.tif 000025
【図２５】
0004760515.tif 000026
【図２６】
0004760515.tif 000027
【図２７】
0004760515.tif 000028
【図２８】
0004760515.tif 000029
【図２９】
0004760515.tif 000030
【図３０】
0004760515.tif 000031
【図３１】
0004760515.tif 000032
【図３２】
0004760515.tif 000033
【図３３】
0004760515.tif 000034
【図３４】
0004760515.tif 000035
【図３５】
0004760515.tif 000036
【図３６】
0004760515.tif 000037
【図３７】
0004760515.tif 000038
【図３８】
0004760515.tif 000039
【図３９】
0004760515.tif 000040
【図４０】
0004760515.tif 000041
【図４１】
0004760515.tif 000042
【図４２】
0004760515.tif 000043
【図４３】
0004760515.tif 000044
【図４４】
0004760515.tif 000045
【図４５】
0004760515.tif 000046
【図４６】
0004760515.tif 000047
【図４７】
0004760515.tif 000048
【図４８】
0004760515.tif 000049
【図４９】
0004760515.tif 000050
【図５０】
0004760515.tif 000051
【図５１】
0004760515.tif 000052
【図５２】
0004760515.tif 000053
【図５３】
0004760515.tif 000054
【図５４】
0004760515.tif 000055